(57)【要約】 【課題】１本の指でも操作することができる。特に、例えば扉の上端部よりも上位の壁面に取付けた場合であっても、サムターンの解錠ないし施錠を１本の指で操作することができる。また、２以上の摘み片を容易に交差状態に合体することができること。【解決手段】第１摘み片１７と、この第１摘み片１７の中心部で交差状態に合体する第２摘み片１８とから成り、これらの第１・第２の摘み片１７、１８は、サムターン凹所１５から略食み出さないように配置されていることを特徴とする建具用サムターン。【選択図】図３
2008202261.tif 000002
【特許請求の範囲】
【請求項１】
第１摘み片１７と、この第１摘み片の中心部で交差状態に合体する第２摘み片１８とから成り、これらの第１・第２の摘み片１７、１８は、サムターン凹所１５から略食み出さないように配置されていることを特徴とする建具用サムターン。
【請求項２】
請求項１に於いて、第１・第２の摘み片１７、１８は、少なくともいずれか一方の摘み片に形成された切欠部分を介して交差状態に合体すると共に、さらに、溶着により一体的に固定されていることを特徴とする建具用サムターン。
【請求項３】
請求項１に於いて、第１・第２の摘み片１７、１８のいずれかの摘み片に識別標識が付されていることを特徴とする建具用サムターン。
【請求項４】
請求項１に於いて、建具用サムターンは、扉の上端部よりも上位の壁面に取付けられることを特徴とする建具用サムターン。
【発明の詳細な説明】
【技術分野】
【０００１】
本発明は、建具用サムターンに関する。
【背景技術】
【０００２】
特許文献１には、スライド式扉に設けた錠前に後付け適用した防犯サムターンが記載されている。その中で、特に、図１と段落００２３には、後付け防犯サムターンの適用となる引戸錠（出願人のＨＰでは、「チューブラ鎌錠」と称している）の一例が記載されている。
【０００３】
特許文献１は、本願発明の登録要件（進歩性）が問題と成りえる先行技術なので、本願発明と対比するために、特許文献１の図１と段落００２３に記載された公知事項を、「図６」に記載する。なお、図６は、発明の特定事項のみを記載し、細部的事項を省略したものである。また、図６に示した既存サムターンを説明するに当たって、説明の便宜上、特許文献１の文章をそのまま記載する。
【０００４】
段落００２３には、図１と共に、次の事項が記載されている。「円筒支持部３７は、略円筒形に形成されている。円筒支持部３７は、扉内の錠箱２０に対して回動不能に固定され、先端のベース部３５が屋内面４１ａに穿設した挿入穴４１ｃ内に位置する。すなわち、ベース部３５は、屋内面４１ａより奥方に配置され、その周囲に化粧リング３２が配設されており、ベース部３５を底面とし、化粧リング３２の内周壁で円形凹部３４を形成している。なお、化粧リング３２は、………（中略）  ………端面３３が常に屋内面４１ａに当接状態とされる。………（中略）  ………。そして、上記した円形凹部３４内に摘み３１が回動自在に配置される。従って、既存サムターン３０は、摘み３１が回動されることで、サムターン軸を介して錠箱２０機構部内が操作され、デッドボルト２１がスライド式扉４０の下面から進退するようになっている。なお、本実施の形態の摘み３１は、図１（ａ）に示すように、略矩形板状に形成されている。」。
【０００５】
上記について、補足説明をすると、円筒支持部３７は、サムターン固定筒３８を介して錠箱２０に固定されている。また、既存サムターン３０の摘み３１は、化粧リング３２のサムター凹部３４内に回動自在に配置され、該摘み３１の裏側中央部に任意形状のサムターン軸３９が水平方向に固定されている。さらに、サムターン摘み３１は、周知のように、一枚の「マイナス形状」の摘み板を、二本の指で摘みながら、水平状態か又は垂直状態かのいずれかの状態から捻るように回転操作する。決して「１本の指」では操作しない。
【特許文献１】特開２００４−１２４４０４号公報の図１と段落００２３
【発明の開示】
【発明が解決しようとする課題】
【０００６】
本発明の第１の目的は、１本の指でも操作することができることである。第２の目的は、建具の出入り口の比較的高い所、例えば扉の上端部よりも上位の壁面に取付けた場合であっても、サムターンの解錠ないし施錠を１本の指で操作することができることである。第３の目的は、製作の際、２以上の摘み片を容易に交差状態に合体することができることである。第の４目的は、使用時に於いて、摘みが壁面より大きく突出して邪魔にならないことである。
【課題を解決するための手段】
【０００７】
本発明の建具用サムターンは、第１摘み片１７と、この第１摘み片の中心部で交差状態に合体する第２摘み片１８とから成り、これらの第１・第２の摘み片１７、１８は、サムターン凹所１５から略食み出さないように配置されていることを特徴とする。
【発明の効果】
【０００８】
（１）１本の指でも操作することができる。特に、例えば扉の上端部よりも上位の壁面に取付けた場合であっても、サムターンの解錠ないし施錠を１本の指で操作することができる。また、玄関扉の自由端部の中央部に取り付けた場合であっても、バリアフリーの観点から１本の指でも操作することができる。付言すると、扉の取付け箇所如何に関らず、指先用の差込み空間１５ａ、１５ｂ、１５ｃ、１５ｄの所望するいずれかに順次指を入れ、摘み片１７，１８を回しながら施錠又は解錠することができる。
（２）製作時、２以上の摘み片を容易に交差状態に合体することができる。付言すると、第１・第２の摘み片１７、１８の少なくとも一方の摘み片に形成された切欠部分を介して交差状態に合体するので、摘み片を容易に交差状態に合体することができる。
（３）使用時に於いて、壁面より大きく突出しないので、摘みが邪魔にならない。
（４）その他、実施例によっては、解錠又は施錠状態を識別することができる。
【発明を実施するための最良の形態】
【０００９】
以下、図１乃至図５に示す本発明を実施するための最良の形態により説明する。
【００１０】
（１）発明の実施の環境
図１及び図２は、発明の実施の環境を示す概略説明図である。なお、本発明の実施例を説明するに当たって、対比の便宜上、図６に記載の公知事項の用語を極力用いることにする。
【００１１】
図１及び図２に於いて、１は開閉体用の固定部材（戸枠も含む）で、本実施例では、引戸、扉等の開閉体２の上端部２ａの上方に位置している。３は室内側である。４は建具用サムターンで、このサムターン４は、室内側３の前記固定部材１の内壁１ａに取付けられている。サムターン４の取付け構造は、図６の従来例と同様である。取付け構造自体には新規事項は存在しない。
【００１２】
そこで、６は固定部材１に内装された錠箱を含む錠前で、この錠前６の施錠片７は、開閉体２の上端部２ａの凹所に固定したストライク８に係脱する。また、１０は錠前６の錠箱に固定されたサムターン固定筒で、このサムターン固定筒１０内には、サムターンの円筒支持部１１が固定されている。
【００１３】
１２は円筒支持部１１の先端ベース部或いは設計如何によっては化粧リング１３の底壁部（ここでは、以下、「摘み用ベース部」という）で、この摘み用ベース部１２は、固定部材１の内壁１ａより奥方に位置する。したがって、鍔部分を有する化粧リング１３は、前記内壁１ａに穿設した挿入穴１ｂ内に位置する。
【００１４】
１５はサムターン凹所で、このサムターン凹所１５は、前述したベース部１２の底壁と、この底壁に突壁状に連設する化粧リング１３の内周壁１４で所要の深に形成されている。ここで、「所要の深」とは、例えば指先が入る程度である。化粧リング１３の不番の鍔部分は、固定部材１の内壁１ａに当接する。
【００１５】
（２）主要部
摘み１６は、サムターン凹所１５に回動自在に配置される。従って、この点は図６で示した既存サムターン３０と同じである。しかし、本発明の摘み１６は、例えば図１で示すように、外観上、例えば正面視において、摘み１６が交差状に形成されている点が既存サムターン３０と異なる。
【００１６】
付言すると、本発明の摘み１６は、図１を基準にすると、垂直方向に位置する第１摘み片１７と、この第１摘み片１７の中心部で、例えば少なくとも一方の摘み片の切欠部分、本実施例では両方の第１摘み片１７、１８の切欠部分１７ａ、１８ａを介して交差状態に合体する第２摘み片１８とから成り、前記第１摘み片１７と第２摘み片１８は溶着により一体的に固定され、かつ、サムターン凹所１５から略食み出さないように配置されている。
【００１７】
ここで、「略食み出さない」とは、第２摘み片１８の取付け態様或いは摘み１６のサムターン凹所１５に対する配置如何によって、１ｍｍとか、２ｍｍｓとか、サムターン凹所１５から物理的に多少でた場合も含まれる。「略食み出さない」という用語は、発明の目的を考慮して解釈されるものとする。
【００１８】
図４は、実施化レベルの摘み１６の一例を示す。既存サムターン３０は一枚の「マイナス形状」の板が、ニ以上の指を用いることにより、水平又は垂直状態のいずれかに回転変位するが、実施化レベルの摘み１６は、中央部で切欠を介して直交するニ枚の第１摘み片１７と第２摘み片１８とで「プラス形状」に構成されている。そして、両方に形成された切欠１７ａ又は１８ａにそれぞれ入り込んだ第２摘み片１８と第１摘み片１７の交差部分の縁は、適宜に溶着され、かつ、ミガキがかけられる。
【００１９】
したがって、例えば１本の指を用いながら所定角度（例えば９０度）まで回転させると、図５で示すように、摘み１６は、互いに水平ないし垂直状態に位置が入れ替わる。つまり、水平状態だったものが垂直状態になり、垂直状態だったものが水平状態となる。そこで、本実施例では、視覚上、施錠状態や施錠状態を識別するために識別標識Ｍを一方の摘み片、例えば第１摘み片１７の外面に付している。
【００２０】
さらに、実施化レベルの摘み１６は、サムターン軸１９に対する取付けの容易性を図るために、一方の摘み片、例えば第２摘み片１８に前記サムターン軸１９の先端部に形成した受け入れ穴１９ａに嵌入する連結突起１８ｂが設けられている。
【００２１】
なお、摘み１６を回転操作すると、サムターン軸１９を介して錠前６の機構部内が作動し、デッドボルト７が固定部材１から進退するようになっている。
【実施例】
【００２２】
発明の実施の形態で示した実施例に於いて、摘み１６は、例えば直交するニ枚の第１摘み片１７と第２摘み片１８とで「プラス形状」に形成されている。したがって、この実施例では、図５で示すように、サムターン凹所１５は、第１摘み片１７と第２摘み片１８により区分けされた合計４つの指先用の差込み空間１５ａ、１５ｂ、１５ｃ、１５ｄが出来ている。これらの空間１５ａ、１５ｂ、１５ｃ、１５ｄのいずれか一つに１本の指を差し込むことにより、比較的高い所に配設されたサムターン４の摘み１６を同じ方向へ２回又は３回程度回して施錠又は解錠することが可能となる。
【００２３】
であるから、本発明は、実施例の「プラス形状」の摘みに限定するものではなく、発明の目的を達成し得る範囲に於いて、例えば正面視Ｙ字形状や放射状形状も可能である。また、サムターン４の取付け箇所は、開閉体２の内壁面でも良い。
【産業上の利用可能性】
【００２４】
本発明は、主に錠前又は建具の業界で利用される。
【図面の簡単な説明】
【００２５】
図１乃至図５は本発明の最良の実施例を示す各説明図。図６は従来の実施例を示す説明図。
【図１】室内側から見た使用例の概略説明図。
【図２】一部縦断面で示した環境の概略説明図。
【図３】斜視からの説明図。
【図４】主要部（摘み）を示す斜視図。
【図５】指で摘みを操作乃至操作した場合の概略説明図。
【図６】従来の実施例を示す説明図。
【符号の説明】
【００２６】
１…固定部材（戸枠も含む）、１ａ…内壁、２…開閉体、２ａ…開閉体２の上端部、３…室内側、４…建具用サムターン、６…錠前、７…施錠片、８…ストライク、１０…サムターン固定筒、１１…円筒支持部、１２…摘み用ベース部、１３…化粧リング、１４…化粧リングの内周壁、１５…サムターン凹所、１５ａ、１５ｂ、１５ｃ、１５ｄ…指先用の差込み空間、１６…摘み、１７…第１摘み片、１８…第２摘み片、１７ａ、１８ａ…切欠部分、１８ｂ…連結突起、１９…サムターン軸、１９ａ…受け入れ穴、３０…既存サムターン、Ｍ…識別標識。
【図１】
2008202261.tif 000003
【図２】
2008202261.tif 000004
【図３】
2008202261.tif 000005
【図４】
2008202261.tif 000006
【図５】
2008202261.tif 000007
【図６】
2008202261.tif 000008